【手続補正書】
【提出日】平成24年8月28日(2012.8.28)
【手続補正１】
【補正対象書類名】特許請求の範囲
【補正対象項目名】全文
【補正方法】変更
【補正の内容】
【特許請求の範囲】
【請求項１】
使用者の衛生習慣を解析するための方法であって、
個人衛生モニタを使用者に取り付けるステップと、
前記取り付けられた個人衛生モニタを、使用者に関連する複数の個人衛生事象を検出するために使用するステップと、
前記複数の個人衛生事象に応じて使用者の１つ以上の衛生習慣の衛生レベルを局所的に計算するために前記取り付けられた個人衛生モニタを使用するステップと、
使用者の身体の前記衛生レベルの指標を与えるために前記取り付けられた個人衛生モニタを使用するステップと、
を含む方法。
【請求項２】
前記衛生レベルが予め定められたレベルを超えた場合に前記取り付けられた個人衛生モニタに警報を与えるステップをさらに含む、請求項１に記載の方法。
【請求項３】
前記衛生レベルに応じて複数の使用者に関連して前記使用者の衛生レベルをランク付けするステップをさらに含む、請求項１に記載の方法。
【請求項４】
前記計算ステップは使用者のスケジュールに基づく、請求項１に記載の方法。
【請求項５】
前記複数の個人衛生事象を記録し、各前記個人衛生事象にタイムスタンプを関連付けることをさらに含む、請求項１に記載の方法であって、この方法は、それぞれの前記関連タイムスタンプに応じて少なくとも１つの個人衛生パターンを識別するステップをさらに含み、前記計算ステップは前記少なくとも１つの個人衛生パターンに応じて実行される、方法。
【請求項６】
前記使用ステップは、使用者に関する位置データを収集するために、前記取り付けられた個人衛生モニタを使用することをさらに含む、請求項１に記載の方法であって、この方法は、前記位置データと前記複数の個人衛生事象の少なくとも１つとの組合せに応じて少なくとも１つの個人衛生パターンを識別することをさらに含み、前記計算ステップは前記少なくとも１つの個人衛生パターンに応じて実行される、方法。
【請求項７】
前記個人衛生事象は、使い捨てティッシュペーパーの使用、手洗い行動、シャワー浴び行動、医療安全装備品の交換行動、１対の手袋の交換行動、およびフェイスマスク装着行動から構成される群の構成要素である、請求項１に記載の方法。
【請求項８】
前記検出ステップは、前記個人衛生事象の質を検出かつ記録することを含み、前記計算ステップはそれぞれの質に応じて実行される、請求項１に記載の方法。
【請求項９】
前記質は、前記それぞれの個人衛生事象の持続時間の測定、前記それぞれの個人衛生事象の強さの測定、前記個人衛生事象に関与する少なくとも１つの殺菌剤の濃度の測定、前記個人衛生事象中の水の存在の測定、前記個人衛生事象中の湿度レベルの測定、前記個人衛生事象中の温度の測定から成る群の構成要素を測定することによって推定される、請求項８に記載の方法。
【請求項１０】
前記取り付けられた個人衛生モニタを、使用者の存在を監視するために使用するステップをさらに含み、前記検出ステップは、前記存在を記録することを含み、前記計算ステップは、前記衛生レベルおよび前記存在の組み合わせに基づいて衛生レベルパターンを推定することを含む、請求項１に記載の方法。
【請求項１１】
前記取り付けられた個人衛生モニタを、使用者の存在を監視するために使用するステップをさらに含み、前記計算ステップは前記存在に応じて実行される、請求項１に記載の方法。
【請求項１２】
前記衛生レベルに応じて障壁を操作することをさらに含む、請求項１に記載の方法。
【請求項１３】
使用者の衛生習慣を解析するための装着可能な装置であって、
使用者の複数の個人衛生事象を検出するように構成された少なくとも１つのセンサと、
使用者の前記複数の個人衛生事象を格納するように構成されたリポジトリと、
前記複数の個人衛生事象に応じて使用者の少なくとも１つの衛生習慣の衛生レベルを推定するように構成された解析ユニットと、
前記衛生レベルを使用者に提示するように構成された衛生インジケータと、
使用者の身体の器官に装着され、かつ前記少なくとも１つのセンサ、前記リポジトリ、および前記分析ユニット、並びに使用者の身体の近傍の前記衛生インジケータを保持するように大きさおよび形状を決定された装着可能な要素とを備え、
前記解析ユニットは前記複数の個人衛生事象に応じて使用者の少なくとも１つの衛生習慣の衛生レベルを推定するように構成される、装着可能な装置。
【請求項１４】
装着可能な装置の装着事象を検出するための装着検出器をさらに備え、各前記個人衛生事象は前記装着事象に応じて評価される、請求項１３に記載の装着可能な装置。
【請求項１５】
前記少なくとも１つのセンサは、各々が複数の物理的刺激のうちの異なる刺激を検出するように構成された複数のセンサを含み、前記少なくとも１つのセンサは、前記複数の物理的刺激を組み合わせることによって、前記複数の個人衛生事象を検出するように構成される、請求項１３に記載の装着可能な装置。
【請求項１６】
前記少なくとも１つのセンサは、各々が複数の物理的刺激のうちの異なる刺激を検出するように構成された複数のセンサを含み、前記解析ユニットは、前記複数の物理的刺激を組み合わせることによって、前記衛生レベルを推定するように構成される、請求項１３に記載の装着可能な装置。
【請求項１７】
前記複数の個人衛生事象をリモート解析ユニットに転送するように構成されたインタフェースをさらに含み、前記リモート解析ユニットは、使用者に関する少なくとも１つの衛生習慣を文書化する使用者衛生プロファイルを維持し、前記リモート解析ユニットは、前記複数の個人衛生事象に応じて前記使用者衛生プロファイルを更新し、かつ前記使用者衛生プロファイルに応じて前記衛生レベルを計算するように構成される、請求項１３に記載の装着可能な装置。
【請求項１８】
前記少なくとも１つのセンサは、使用者の手の近傍の湿度を測定することによって、前記複数の個人衛生事象の少なくとも１つを検出するための湿度計を含む、請求項１３に記載の装着可能な装置。
【請求項１９】
前記少なくとも１つのセンサは、使用者の近傍におけるアルコール蒸気の濃度を測定することによって、前記複数の個人衛生事象の少なくとも１つを検出するためのアルコールセンサを含む、請求項１３に記載の装着可能な装置。
【請求項２０】
前記少なくとも１つのセンサは、使用者の近傍のドップラ効果を測定することで流水を検出することによって、前記複数の個人衛生事象の少なくとも１つを検出するための超音波ドップラセンサを含む、請求項１３に記載の装着可能な装置。
【請求項２１】
前記少なくとも１つのセンサは、使用者の近傍の洗浄剤の透明性を測定することによって、前記複数の個人衛生事象の少なくとも１つを検出するための光センサを含む、請求項１３に記載の装着可能な装置。
【請求項２２】
前記少なくとも１つのセンサは、使用者の近傍で捕捉された音響信号と予め定められたオーディオパターンとを比較することによって、個人衛生事象の音を検出するための音響センサを含む、請求項１３に記載の装着可能な装置。
【請求項２３】
前記少なくとも１つのセンサは、前記使用者の少なくとも１つのジェスチャを記録し、かつ前記少なくとも１つのジェスチャと個人衛生事象の少なくとも１つの移動パターンとを照合することによって、個人衛生事象を検出するための動き検出センサを含む、請求項１３に記載の装着可能な装置。
【請求項２４】
前記少なくとも１つのセンサは、医療装置への近接性を検出するように構成されたタッチ検出器センサと、前記検出された近接性に応じて個人衛生事象を検出するように構成されたプロセッサとを含む、請求項１３に記載の装着可能な装置。
【請求項２５】
前記少なくとも１つのセンサは、使用者が医療装置と患者の少なくとも一方に接触している間にタッチ事象を検出するように構成されたタッチ検出器センサを含み、前記解析ユニットは前記タッチ事象に応じて前記個人衛生事象を推定するように構成される、請求項１３に記載の装着可能な装置。
【請求項２６】
前記少なくとも１つのセンサは衛生保護事象を検出するように構成され、前記リポジトリは前記衛生保護事象を格納するように構成され、前記解析ユニットは前記衛生保護事象に応じて前記衛生レベルを推定するように構成される、請求項１３に記載の装着可能な装置。
【請求項２７】
使用者の位置を検出し、かつそれを前記リポジトリに記録するように構成された位置検出モジュールをさらに備え、前記解析ユニットは、前記位置に応じて前記衛生レベルを推定するように構成される、請求項１３に記載の装着可能な装置。
【請求項２８】
前記位置は建物の境界の外である、請求項２７に記載の装着可能な装置。
【請求項２９】
前記位置は、手術室、患者のベッド、医療装置、理学療法室、食堂、調理場、生産フロアショップ、食品製造領域、および食品製造装置から成る群の構成要素である、請求項２７に記載の装着可能な装置。
【請求項３０】
前記少なくとも１つのセンサは、前記複数の個人衛生事象の少なくとも１つを検出するために装着可能な装置と、蛇口または消毒剤ディスペンサーの少なくとも一方との間の距離を推定する近接性センサを含む、請求項１３に記載の装着可能な装置。
【請求項３１】
前記少なくとも１つのセンサは、流水の交番磁界を測定し、それに応じて前記複数の個人衛生事象の少なくとも１つの質を決定する磁気センサを含む、請求項１３に記載の装着可能な装置。
【請求項３２】
前記少なくとも１つのセンサは、前記複数の個人衛生事象の少なくとも１つの質を推定するために装着可能な装置の動きを監視する動き検出センサを含み、前記動き検出センサは加速度計およびジャイロスコープの少なくとも１つを含む、請求項１３に記載の装着可能な装置。
【請求項３３】
複数の使用者の衛生習慣を解析するためのシステムであって、
各々が複数の使用者それぞれに取り付けられて、それに関連する複数の個人衛生事象を検出かつ局所的に記録することを可能にするように構成された複数の個人衛生モニタと、
各々が複数の使用者それぞれの少なくとも１つの衛生習慣を文書化する複数の使用者衛生プロファイルを管理するように構成された衛生解析ユニットとを備え、
前記衛生解析ユニットは、前記複数の個人衛生モニタそれぞれから前記複数の個人衛生事象を受信し、かつそれに応じて前記複数の使用者衛生プロファイルそれぞれを更新するように構成され；
前記衛生解析ユニットは、前記複数の使用者衛生プロファイルのそれぞれに応じて、各前記使用者の衛生レベルを計算するように構成される、システム。
【請求項３４】
システムは、各々がシステムの近傍における前記複数の個人衛生モニタのうちの少なくとも１つの存在を検出するように構成された複数の位置検出ユニットをさらに備え、前記衛生解析ユニットは、検出された存在に応じて前記衛生レベルを計算するように構成される、請求項３３に記載のシステム。
【請求項３５】
使用者の衛生習慣を解析するための装着可能な装置であって、
使用者の身体器官に装着されるように大きさおよび形状を決定された装着可能要素と、
前記使用者が患者と医療装置の少なくとも一方に接触している間にタッチ事象を検出するように構成されたタッチ検出器センサと、
前記タッチ事象に応じて使用者の衛生レベルを計算するための処理ユニットと、
前記衛生レベルを示す信号を出力するための出力ユニットと、
を含む装置。
【請求項３６】
前記出力ユニットは、前記信号に応じて警報を与えるように構成されたプレゼンテーションユニットに連結されている、請求項３５に記載の装着可能な装置。